(57)【要約】【課題】第１の蛍光ランプが点灯可能である場合に第１の蛍光ランプの光束低下を抑制することができるとともに第１の蛍光ランプが点灯不能となった場合であっても照明として機能させることができる防爆型照明器具を提供する。【解決手段】防爆型照明器具１は、器具本体２を備えている。器具本体２は、前面が開口した箱状のシャーシ３等から構成されている。シャーシ３内には、着脱可能にシャーシ３に取り付けられた照明ユニット６が配置されている。照明ユニット６は冷陰極蛍光ランプ１０，１１を備えている。冷陰極蛍光ランプ１０は照明用として使用されるものである。冷陰極蛍光ランプ１１は冷陰極蛍光ランプ１０が点灯可能である場合にはシャーシ３内の温度が所定の温度よりも低いときにシャーシ３内を暖める加温用として使用され、冷陰極蛍光ランプ１０が点灯不能となった場合には冷陰極蛍光ランプ１０の代わりに照明用として使用されるものである。【選択図】図１
2005093247.tif 000002
【特許請求の範囲】
【請求項１】
内部空間が形成された密閉可能な器具本体と；
前記器具本体内に配置された照明用の第１の蛍光ランプと；
前記器具本体内に配置され、前記第１の蛍光ランプが点灯可能である場合には前記器具本体内の温度が所定の温度よりも低いときに加温用として点灯し、かつ前記第１の蛍光ランプが点灯不能となった場合には前記第１の蛍光ランプの代わりに照明用として点灯する第２の蛍光ランプと；
を具備することを特徴とする照明器具。
【請求項２】
前記第１の蛍光ランプと、前記第２の蛍光ランプと、前記第１の蛍光ランプから発せられた光を反射する第１の反射板と、前記第１の反射板と背向するように配置され、かつ前記第２の蛍光ランプから発せられた光を反射する第２の反射体とを備え、着脱可能に前記器具本体内に取り付けられた照明ユニットをさらに具備することを特徴とする請求項１記載の照明器具。
【請求項３】
前記第１の蛍光ランプと前記第２の蛍光ランプとを収容した透光性筒体をさらに備えることを特徴とする請求項１記載の照明器具。
【請求項４】
前記第１の蛍光ランプと前記第２の蛍光ランプとが略平行に配置されるように前記第１の蛍光ランプと前記第２の蛍光ランプとを保持した回転可能な保持部材をさらに備えることを特徴とする請求項１又は３記載の照明器具。
【発明の詳細な説明】
【技術分野】
【０００１】
本発明は、洞道等を照らすための照明器具に関する。
【背景技術】
【０００２】
従来から、電力ケーブル、ガス管、通信ケーブル等を通すための洞道の壁面には、点検等の作業の際に使用される防爆型照明器具が取り付けられている。現在、防爆型照明器具の光源としては、例えば熱陰極蛍光ランプ、白熱灯が使用されている。
【０００３】
一般に蛍光ランプの光束は蛍光ランプの周囲温度に依存することが知られている。具体的には周囲温度が所定の温度のときに最も蛍光ランプの光束が高くなり、周囲温度がその温度よりも低くなると、光束が低下してしまう。このようなことから、現在、蛍光ランプの近傍にヒータを配置して、このヒータにより蛍光ランプを暖めて、蛍光ランプの光束低下を抑制している（例えば、特許文献１）。
【特許文献１】特開平７−２４９３１２号公報
【発明の開示】
【発明が解決しようとする課題】
【０００４】
ところで、防爆型照明器具に内蔵されたランプが寿命を迎えることにより点灯不能となった場合には、新たなランプに交換する必要がある。しかしながら、通常、作業者は、予備のランプを所持していないことが多い。このため、ランプが点灯不能となった場合には、暗い状態で点検等の作業を行わなければならないという問題ある。
【０００５】
本発明は上記従来の問題を解決するためになされたものである。即ち、第１の蛍光ランプが点灯可能である場合に第１の蛍光ランプの光束低下を抑制することができるとともに第１の蛍光ランプが点灯不能となった場合であっても照明として機能させることができる照明器具を提供することを目的とする。
【課題を解決するための手段】
【０００６】
請求項１記載の照明器具は、内部空間が形成された密閉可能な器具本体と；前記器具本体内に配置された照明用の第１の蛍光ランプと；前記器具本体内に配置され、前記第１の蛍光ランプが点灯可能である場合には前記器具本体内の温度が所定の温度よりも低いときに加温用として点灯し、かつ前記第１の蛍光ランプが点灯不能となった場合には前記第１の蛍光ランプの代わりに照明用として点灯する第２の蛍光ランプと；を具備することを特徴としている。請求項１記載の照明器具によれば、第１の蛍光ランプが点灯可能である場合に第１の蛍光ランプの光束低下を抑制することができるとともに第１の蛍光ランプが点灯不能となった場合であっても照明として機能させることができる。
【０００７】
請求項２記載の照明器具は、請求項１記載照の照明器具であって、前記第１の蛍光ランプと、前記第２の蛍光ランプと、前記第１の蛍光ランプから発せられた光を反射する第１の反射板と、前記第１の反射板と背向するように配置され、かつ前記第２の蛍光ランプから発せられた光を反射する第２の反射体とを備え、着脱可能に前記器具本体内に取り付けられた照明ユニットをさらに具備することを特徴としている。請求項２記載の照明器具によれば、第１の蛍光ランプが点灯不能となった場合に照明ユニットを反転させるだけで第１の蛍光ランプの代わりに第２の蛍光ランプを照明用として使用することができる。
【０００８】
請求項３記載の照明器具は、請求項１記載の照明器具であって、前記第１の蛍光ランプと前記第２の蛍光ランプとを収容した透光性筒体をさらに備えることを特徴としている。請求項３記載によれば、第１の蛍光ランプが点灯可能である場合に第１の蛍光ランプを効率良く加温することができる。
【０００９】
請求項４記載の照明器具は、請求項１又は３記載の照明器具であって、前記第１の蛍光ランプと前記第２の蛍光ランプとが略平行に配置されるように前記第１の蛍光ランプと前記第２の蛍光ランプと保持した回転可能な保持部材をさらに備えることを特徴としている。請求項４記載の照明器具によれば、第２の蛍光ランプを照明用として点灯させた場合であっても第１の蛍光ランプを点灯させた場合における配光とほぼ同じ配光を得ることができる。
【発明の効果】
【００１０】
請求項１記載の照明器具によれば、第１の蛍光ランプが点灯可能である場合に第１の蛍光ランプの光束低下を抑制することができるとともに第１の蛍光ランプが点灯不能となった場合であっても照明として機能させることができる。請求項２記載の照明器具によれば、第１の蛍光ランプが点灯不能となった場合に照明ユニットを反転させるだけで第１の蛍光ランプの代わりに第２の蛍光ランプを照明用として使用することができる。
【００１１】
請求項３記載の照明器具によれば、第１の蛍光ランプが点灯可能である場合に第１の蛍光ランプを効率良く加温することができる。請求項４記載の照明器具によれば、第２の蛍光ランプを照明用として点灯させた場合であっても第１の蛍光ランプを点灯させた場合における配光とほぼ同じ配光を得ることができる。
【発明を実施するための最良の形態】
【００１２】
（第１の実施の形態）
以下、本発明の第１の実施の形態について説明する。図１は本実施の形態に係る防爆型照明器具の模式的な垂直断面図であり、図２は本実施の形態に係る防爆型照明器具の模式的な平面図であり、図３は本実施の形態に係る照明ユニットを上下反転させたときの防爆型照明器具の模式的な垂直断面図である。
【００１３】
図１及び図２に示されるように、防爆型照明器具１は器具本体２を備えている。器具本体２は、前面が開口した箱状のシャーシ３等から構成されている。シャーシ３は、鉄以外の金属から形成されている。鉄以外の金属としては、例えばアルミニウム、銅等が挙げられる。鉄以外の金属からシャーシ３を構成することにより、火花の発生を抑制することができる。
【００１４】
シャーシ３の側面の対向する２箇所には、防爆型照明器具１を洞道の壁面に取り付けるための取付脚３ａが一体的に形成されている。取付脚３ａには孔が形成されており、孔にボルトを挿入し、ボルトを洞道の壁面に固定することにより、防爆型照明器具１が洞道の壁面に取り付けられる。
【００１５】
シャーシ３の前面には、シャーシ３の前面を覆うように前面カバー４が取り付けられている。前面カバー４は、枠体４ａと枠体４ａに嵌め込まれたガラス板４ｂから構成されている。枠体４ａとシャーシ３とは、ボルト５で固定されている。枠体４ａとシャーシ３とをボルト５で固定することにより、シャーシ３内を密閉状態にすることができる。
【００１６】
シャーシ３内には、着脱可能にシャーシ３に取り付けられた照明ユニット６が配置されている。照明ユニット６は上下反転させた場合でもシャーシ３内に取り付けることができるように構成されている。照明ユニット６は、互いに背向するように配置された反射板７，８と、反射板７，８の表面側に位置し、かつ反射板７，８に固定されたソケット９と、ソケット９に保持された冷陰極蛍光ランプ１０，１１とから構成されている。
【００１７】
反射板７（第１の反射板）は冷陰極蛍光ランプ１０から発せられた光を反射させるものであり、反射板８（第２の反射板）は冷陰極蛍光ランプ１１から発せられた光を反射させるものである。反射板８は反射板７の上方に位置しており、反射板７と同様な形状に形成されている。反射板８を反射板７と同様な形状に形成することにより、照明ユニット６を上下反転させ、冷陰極蛍光ランプ１１を照明用として点灯させた場合であっても冷陰極蛍光ランプ１０を点灯させた場合における配光とほぼ同じ配光を得ることができる。
【００１８】
冷陰極蛍光ランプ１０（第１の蛍光ランプ）は照明用として使用されるものである。冷陰極蛍光ランプ１１（第２の蛍光ランプ）は冷陰極蛍光ランプ１０が点灯可能である場合にはシャーシ３内の温度が所定の温度よりも低いときにシャーシ３内を暖める加温用として使用され、冷陰極蛍光ランプ１０が点灯不能となった場合には冷陰極蛍光ランプ１０の代わりに照明用として使用されるものである。
【００１９】
照明ユニット６は、冷陰極蛍光ランプ１０が点灯可能である場合には図１及び図２に示されるようにガラス板４ｂ側に冷陰極蛍光ランプ１０が位置するような状態で使用され、冷陰極蛍光ランプ１０が寿命等により点灯不能となった場合には図３に示されるように上下反転させてガラス板４ｂ側に冷陰極蛍光ランプ１１が位置するような状態で使用される。
【００２０】
シャーシ３内には、シャーシ３内の温度を測定するための温度センサ１２及び耐圧保護箱１３がシャーシ３の後面に取り付けられている。耐圧保護箱１３内には、温度センサ１２と電気的に接続された点灯回路１４が配置されている。
【００２１】
点灯回路１４は、冷陰極蛍光ランプ１０，１１の点灯を制御するものである。具体的には、点灯回路１４は、冷陰極蛍光ランプ１０が点灯可能である場合には冷陰極蛍光ランプ１０を点灯させるとともにシャーシ３内の温度が所定の温度よりも低いときに冷陰極蛍光ランプ１１を点灯させるように構成されており、また冷陰極蛍光ランプ１１が点灯不能となった場合には冷陰極蛍光ランプ１１を点灯させるように構成されている。本実施の形態では、点灯回路１４は、シャーシ３内の温度が５℃よりも低いときに冷陰極蛍光ランプ１１が点灯するように構成されている。
【００２２】
本実施の形態では、冷陰極蛍光ランプ１０が点灯可能である場合にシャーシ３内の温度が所定の温度よりも低いときに冷陰極蛍光ランプ１１を点灯させるので、冷陰極蛍光ランプ１０の光束低下を抑制することができる。即ち、即ち、シャーシ３内が所定の温度よりも低いときに冷陰極蛍光ランプ１０を点灯させることにより、反射板７，８が暖められ、冷陰極蛍光ランプ１０の周囲温度が上昇する。それ故、冷陰極蛍光ランプ１０の光束低下を抑制することできる。
【００２３】
本実施の形態では、冷陰極蛍光ランプが寿命等により点灯不能となった場合に照明ユニット６を上下反転させて冷陰極蛍光ランプ１０の代わりに照明用として冷陰極蛍光ランプ１１を使用するので、冷陰極蛍光ランプ１０が点灯不能となった場合であっても照明として機能させることができる。なお、この場合、冷陰極蛍光ランプ１０は点灯不能となっているので、冷陰極蛍光ランプ１０により冷陰極蛍光ランプ１１の周囲温度を上昇さることはできない。このためシャーシ３内の温度が所定の温度よりも低い場合には、冷陰極蛍光ランプ１０を照明用として使用していた場合よりも光束は低くなるが、冷陰極蛍光ランプ１０が点灯不能となった場合の応急処置としては有効である。
【００２４】
本実施の形態では、防爆型照明器具１の光源として冷陰極蛍光ランプ１０，１１を使用しているので、防爆型照明器具１のメンテナンス回数を減らすことができるととともに防爆型照明器具１の小型化、軽量化、及び省電力化を図ることができる。即ち、一般に熱陰極蛍光ランプより冷陰極蛍光ランプの方が寿命が長い。これにより、防爆型照明器具１のメンテナンス回数を減らすことができる。また、一般に熱陰極蛍光ランプよりも冷陰極蛍光ランプの方が小さく、かつ細い。これにより、防爆型照明器具１の小型化及び軽量化を図ることができる。ここで、防爆型照明器具１の軽量化を図ることができるので、防爆型照明器具１を２箇所で洞道の壁面に固定することが可能となり、工期の短縮化を図ることが可能となる。さらに、一般に防爆型照明器具には約３０Ｗの熱陰極蛍光ランプが使用されているが、冷陰極蛍光ランプを使用すると約１０Ｗ程度で澄む。これにより、防爆型照明器具１の省電力化を図ることができる。
【００２５】
本実施の形態では、反射板８が反射板７と同様な形状に形成されているので、冷陰極蛍光ランプ１１を照明用として点灯させた場合であっても冷陰極蛍光ランプ１０を点灯させた場合における配光とほぼ同じ配光を得ることができる。
（第２の実施の形態）
【００２６】
以下、第２の実施の形態について説明する。本実施の形態では、冷陰極蛍光ランプを透光性筒体に収容した例について説明する。図４は本実施の形態に係る防爆型照明器具の模式的な垂直断面図であり、図５は本実施の形態に係る防爆型照明器具の模式的な平面図であり、図６は本実施の形態に係る保持部材を１８０°回転させたときの防爆型照明器具の模式的な垂直断面図である。
【００２７】
図４及び図５に示されるように反射板２０の下方には、冷陰極蛍光ランプ１０，１１が配置されている。冷陰極蛍光ランプ１０，１１は例えば硬質ガラス等から形成された透光性筒体２１に収容されている。
【００２８】
透光性筒体２１は、本体部２１ａと開閉可能に本体部２１ａに取り付けられた側面部２１ｂとから構成されている。側面部２１ｂを開くことにより、透光性筒体２１内に冷陰極蛍光ランプ１０，１１を収容或いは透光性筒体２１内から冷陰極蛍光ランプ１０，１１を取り出すことができる。また、側面部２１ｂを閉じることにより、透光性筒体２１内を略密閉状態にすることができる。
【００２９】
透光性筒体２１内には、冷陰極蛍光ランプ１０，１１を保持する２枚の円板状の保持部材２２が配置されている。保持部材２２は、互いに対向するように配置されている。保持部材２２の内側には、冷陰極蛍光ランプ１０，１１の口金を嵌め込むためのソケット２２ａが取り付けられている。ソケット２２ａに冷陰極蛍光ランプ１０，１１を嵌め込むことにより、保持部材２２に冷陰極蛍光ランプ１０，１１が保持される。なお、冷陰極蛍光ランプ１０，１１は略平行になるように保持部材２２に保持されている。保持部材２２の縁部には、ソケット２２ａと電気的に接続された金属片（図示せず）が２箇所に形成されている。
【００３０】
保持部材２２の外側には、保持部材２２を回転可能に保持する円板状の保持部材２３が配置されている。保持部材２３の内側には爪部２３ａが形成されており、爪部２３ａと保持部材２２の縁部とが係合されている。これにより、保持部材２２が回転可能に保持部材２３に保持される。
【００３１】
保持部材２３には図示しない導入線を介して点灯回路１４に電気的に接続された金属片（図示せず）が２箇所に取り付けられており、保持部材２２の金属片と保持部材２３の金属片とは互いに接触している。保持部材２２の金属片と保持部材２３の金属片とを互いに接触させることにより、冷陰極蛍光ランプ１０，１１に電力が供給される。
【００３２】
冷陰極蛍光ランプ１０，１１は、冷陰極蛍光ランプ１０が点灯可能である場合には図４及び図５に示されるようにガラス板４ｂ側に冷陰極蛍光ランプ１０が位置するような状態で使用され、冷陰極蛍光ランプ１０が寿命等により点灯不能となった場合には図６に示されるように保持部材２２を１８０°回転させてガラス板４ｂ側に冷陰極蛍光ランプ１１が位置するような状態で使用される。
【００３３】
本実施の形態では、冷陰極蛍光ランプ１０が点灯可能である場合にシャーシ３内の温度が所定の温度よりも低いときに冷陰極蛍光ランプ１１を点灯させ、かつ冷陰極蛍光ランプ１０が点灯不能となった場合に冷陰極蛍光ランプ１０の代わりに照明用として冷陰極蛍光ランプ１１を点灯させるので、第１の実施の形態と同様の効果が得られる。
【００３４】
本実施の形態では、冷陰極蛍光ランプ１１を照明用として使用する場合には保持部材２２を１８０°回転させて、冷陰極蛍光ランプ１０と冷陰極蛍光ランプ１１との位置を入れ替えるので、冷陰極蛍光ランプ１１を照明用として点灯させた場合であっても冷陰極蛍光ランプ１０を点灯させた場合における配光とほぼ同じ配光を得ることができる。
【００３５】
本実施の形態では、透光性筒体２１に冷陰極蛍光ランプ１０，１１を収容するので、効率良く冷陰極蛍光ランプ１０の周囲温度を上昇させることができるとともにより多くの光を防爆型照明器具１から放射させることができる。即ち、冷陰極蛍光ランプ１０の周囲温度が所定の温度よりも低いときに冷陰極蛍光ランプ１１が点灯すると、冷陰極蛍光ランプ１１から発せられた熱が透光性筒体１１から逃げ難くなる。これにより、効率良く冷陰極蛍光ランプ１０の周囲温度を上昇させることができる。また、冷陰極蛍光ランプ１１が点灯すると、冷陰極蛍光ランプ１０から発せられた光のみならず冷陰極蛍光ランプ１１から発せられた光もガラス板３ｂを介して防爆型照明器具１外に放射される。これにより、防爆型照明器具１からより多くの光を放射させることができる。
【００３６】
なお、本発明は上記実施の形態の記載内容に限定されるものではなく、構造や材質、各部材の配置等は、本発明の要旨を逸脱しない範囲で適宜変更可能である。例えば、上記第２の実施の形態では、冷陰極蛍光ランプ１０を照明用として使用する場合に保持部材２２を１８０°回転させて、冷陰極蛍光ランプ１０と冷陰極蛍光ランプ１１との位置を入れ替えているが、冷陰極蛍光ランプ１０と冷陰極蛍光ランプ１１との位置を入れ替えずに、点灯回路１４を切り替えてもよい。
【００３７】
上記第１及び第２の実施の形態では、防爆型照明器具について説明しているが、その他の照明器具であってもよい。
【図面の簡単な説明】
【００３８】
【図１】図１は第１の実施の形態に係る防爆型照明器具の模式的な垂直断面図である。
【図２】図２は第１の実施の形態に係る防爆型照明器具の模式的な平面図である。
【図３】図３は第１の実施の形態に係る照明ユニットを上下反転させたときの防爆型照明器具の模式的な垂直断面図である。
【図４】図４は第２の実施の形態に係る防爆型照明器具の模式的な垂直断面図である。
【図５】図５は第２の実施の形態に係る防爆型照明器具の模式的な平面図である。
【図６】図６は第２の実施の形態に係る保持部材を１８０°回転させたときの防爆型照明器具の模式的な垂直断面図である。
【符号の説明】
【００３９】
１…防爆型照明器具、２…器具本体、６…照明ユニット、７，８…反射板、１０，１１…冷陰極蛍光ランプ、１２…温度センサ、１４…点灯回路、２１…透光性筒体、２２…保持部材。
【図１】
2005093247.tif 000003
【図２】
2005093247.tif 000004
【図３】
2005093247.tif 000005
【図４】
2005093247.tif 000006
【図５】
2005093247.tif 000007
【図６】
2005093247.tif 000008